(57)【要約】  【課題】  自然な目もとを演出することができ、誰でも容易に使用し、強化された付着状態により長時間使用することができる、まつげを提供する。  【解決手段】  使用者の美容のために使用者のまぶた２２部位に付着されて使用されるまつげ２０であって、湾曲した状態で配置される複数の毛２０ａと、前記毛２０ａの一側端部が結び目なく集まって形成され、接着剤が塗布される付着部２０ｂとを含んで形成され、前記まぶた２２部位に複数付着される。【選択図】図１
2005146500.tif 000002
【特許請求の範囲】
【請求項１】
使用者のまぶた部位に付着されて使用されるまつげにおいて、
湾曲した状態で配置される複数の毛;及び
前記毛の一側端部が結び目なく集まって形成され、接着剤が塗布される付着部;
を含み、前記まぶた部位に複数付着されることを特徴とする、まつげ。
【請求項２】
前記毛は、前記付着部を中心にして複数の筋で形成されることを特徴とする、請求項１に記載のまつげ。
【請求項３】
前記複数の筋は、一つの筋を中心に他の筋が前記一つの筋に対して任意の角度に配置されて形成されることを特徴とする、請求項２に記載のまつげ。
【請求項４】
前記複数の筋は、実質的に平行な方向に並んで配置されて形成されることを特徴とする、請求項２に記載のまつげ。
【請求項５】
前記複数の筋の毛の長さが互いに異なり、最も長い毛の筋が中心に配置された状態で、この筋を中心に左右対称な形態に形成されることを特徴とする、請求項４に記載のまつげ。
【請求項６】
前記複数の筋の毛の長さが互いに異なり、最も短い毛の筋が中心に配置された状態で、この筋を中心に左右対称な形態に形成されることを特徴とする、請求項４に記載のまつげ。
【請求項７】
前記複数の筋の毛の長さが互いに異なり、この筋が繰り返されるパターンを有して配置されて形成されることを特徴とする、請求項４に記載のまつげ。
【請求項８】
前記複数の筋は、互いに交差部位を形成しながら前記付着部に対して任意の角度に傾いて配置されて形成されることを特徴とする、請求項２に記載のまつげ。
【請求項９】
前記複数の筋は、実質的に平行な方向に並んで配置される筋と、互いに交差部位を形成しながら前記付着部に対して任意の角度に傾いて配置される筋とが混用されて形成されることを特徴とする、請求項２に記載のまつげ。
【請求項１０】
前記付着部の幅は、２〜１０ｍｍに維持されて形成されることを特徴とする、請求項１乃至９のうちのいずれか一項に記載のまつげ。
【請求項１１】
前記付着部に前記毛を固定するつなぎ用糸が少なくとも一つ付着されることを特徴とする、請求項１乃至９のうちのいずれか一項に記載のまつげ。
【請求項１２】
前記つなぎ用糸が前記毛が配置された方向に対して垂直な状態に配置されることを特徴とする、請求項１１に記載のまつげ。
【発明の詳細な説明】
【技術分野】
【０００１】
本発明はまつげに関し、より詳しくは、人造まつげに関する。
【背景技術】
【０００２】
人造まつげは、女性が美容のために広く使用する美容器具である。例えば、女性が結婚式のメイクをする時や舞台公演をする時に、必要に応じて目もとを引き立たせるためにまつげを人為的に付着する。
【０００３】
従来広く使用されている人造まつげの形態は、図１２に示したように、人間のアイラインに沿って一つのまつげ形態で付着されるのが一般的であった（特許文献１参照）。
【０００４】
このようなまつげを使用者が自分のまぶた部位に付着する時には、前記まつげ１の各毛１０を固定する固定部１２をまぶた部位に付着する。その結果、通常、前記固定部１２に提供された接着剤によって前記まつげ１が使用者のまぶた部位に付着される。
【０００５】
ここで、前記固定部１２に提供される接着剤は、前記固定部１２に沿って付着されたテープ形態であったり、前記固定部１２に沿って塗布されたペースト（paste）形態からなる。または、前記固定部１２の全形状に対応する長さの糸に接着剤を提供した、いわゆる糸接着剤でもよい。この糸接着剤は、別途に前記固定部１２に付着されて、前記まつげ１が使用者のまぶた部位に付着されるようにする付着手段として作用する。
【０００６】
しかし、前記まつげを実質的に使用する時には、まつげの全体的な構造や接着剤が前記まつげに提供される構造により、まつげを使用する使用者の目もとが不自然になったり、まつげが使用者のまぶた部位にきちんと付着せずに落ちるため、使用上不便であった。
【０００７】
例えば、前記まつげの固定部にテープ状の接着剤が提供されたまつげを使用する場合には、使用者のまぶた部位に沿って前記接着剤が全体的に塗布されるため、前記接着剤による前記固定部の張力により、まつげの全体的な状態が不自然になる。
【０００８】
その他にも、前記糸接着剤を前記まつげに付着して使用する場合には、この糸接着剤がまつげの固定部からよく落ちるため、使用者がまつげを長時間使用することができない。
【特許文献１】大韓民国公開実用新案公報第１９９９−００３４６８３号。
【発明の開示】
【発明が解決しようとする課題】
【０００９】
したがって、本発明は、前記問題点を勘案したものであって、本発明の目的は、使用者が自分の目もとを引き立たせて美容効果を十分に発揮するようにした、まつげを提供することにある。
【００１０】
本発明の他の目的は、誰でも容易に自分のまぶた部位に付着することができ、その付着状態も強化させることができる、まつげを提供することにある。
【課題を解決するための手段】
【００１１】
本発明によるまつげは、使用者のまぶた部位に付着されて使用されるまつげであって、湾曲した状態で配置される複数の毛と、前記毛の一側端部が結び目なく集まって形成されて接着剤が塗布される付着部とを含んで形成され、前記まぶた部位に複数付着される。
この時、前記毛は、前記付着部を中心に複数の筋に形成することができ、さらに、前記複数の筋は、一つの筋を中心に他の筋が前記一つの筋に対して任意の角度に配置されて形成することができる。
【００１２】
また、前記複数の筋は、実質的に平行な方向に並んで配置されて形成することができ、この時、これら筋のパターンは、前記複数の筋の毛の長さが互いに異なり、最も長い毛の筋が中心に配置された状態で、この筋を中心に左右対称な形態に形成されたり、前記複数の筋の毛の長さが互いに異なり、最も短い毛の筋が中心に配置された状態で、この筋を中心に左右対称な形態に形成されたり、または、前記複数の筋の毛の長さが互いに異なり、この筋が繰り返されるパターンを有して配置されて形成されることができる。
【００１３】
また、前記複数の筋は、互いに交差部位を形成しながら前記付着部に対して任意の角度に傾いて配置されて形成されることができる。
【００１４】
また、前記複数の筋は、実質的に平行な方向に並んで配置される筋と、互いに交差部位を形成しながら前記付着部に対して任意の角度に傾いて配置される筋とが混用されて形成されることもできる。
【００１５】
本発明において、前記付着部の幅は、２〜１０ｍｍに維持されて形成される。
【００１６】
前記付着部には、前記毛を固定するつなぎ用糸が少なくとも一つ付着され、これは、前記毛が配置された方向に対して垂直な状態に配置される。
【発明の効果】
【００１７】
本発明によるまつげは、使用者のまぶた部位に複数付着されるが、互いにつながって付着されないため、より自然な状態でまぶた部位に付着することができるので、本発明のまつげを使用する使用者は、自然で美しい目もとを演出することができる。
【００１８】
この時、前記まつげの接着剤が塗布される付着部は、その面積が十分に確保される構造を有しているので、これにより、使用者自身は勿論、他人の力により前記まつげを使用する場合にも、その使用上の便宜を図ることができ、まつげの付着状態が強化されて、長時間製品を使用することができる。
【発明を実施するための最良の形態】
【００１９】
以下、本発明を明確にするための実施例を、添付した図面を参照して詳細に説明する。
【００２０】
図１は本発明によるまつげを示した斜視図であり、図２は本発明によるまつげが使用者のまぶた部位に付着された状態を示した図面である。
【００２１】
図面に示したように、本発明によるまつげ２０は、通常のまつげのように使用者のまぶた２２部位にその数を一つにして付着されるのではなく、複数が付着される。
【００２２】
前記まつげ２０は、前記まぶた２２部位に使用者本人または他人の力で付着されて使用者の目もとを引き立たせる。
【００２３】
このようなまつげ２０の構成には、まず、このまつげ２０の全体的な形態を形成する複数の毛２０aを含む。ここで、この毛２０aの一本一本は、まつげの特性上、一側端部が上に上がるように湾曲した形態である。
【００２４】
このような毛２０aは、前記形態で複数配置されてその一側端部が集まって付着部２０bを形成し、この付着部２０bは、使用者が前記まつげ２０を実質的に使用する時に接着剤が塗布される部位で、この部位は、前記複数の毛２０aがその各端部が実質的に一直線上に集まるように配置されながら、結び目を形成せずに別途の接着剤により互いに連結されて形成される部位である。
【００２５】
この時、前記付着部２０bの幅（w）は、ほぼ２〜１０ｍｍの範囲も維持されるのが好ましいが、本発明において、前記付着部２０bの幅（w）が必ずしもこれに限られるわけではない。
【００２６】
この付着部２０bには、図３に示したように、前記毛２０aが配置された方向に対して垂直な状態で配置されるつなぎ用糸２０fを付着することができる。
【００２７】
このつなぎ用糸２０fは、図３に示したまつげ２０を製造する時、前記毛２０aが配置される基準点の役割を果たすだけでなく、前記複数の毛２０aが互いにつながれた状態を強化させる役割を果たす。このようなつなぎ用糸２０fは、一つ以上が前記付着部２０bに付着される。
【００２８】
本実施例において、前記毛２０aは、図面に示したように、複数の筋２０c、２０d、２０eを形成しながら配置される。さらに、本実施例で、前記毛２０aは、３つの筋２０c、２０d、２０eを形成しながら配置されるが、たとえば、一つの筋２０dを間に置いて他の２つの筋２０c、２０eが前記一つの筋２０dに対して任意の角度に交差して配置される形態からなる。
【００２９】
ここで、各筋２０cと２０eの毛２０aの数を、その筋２０cと筋２０eとの間に形成されている筋２０ｄの毛２０ａの数と、略同等か、それより多くすることにより、最も自然で、劇的な効果が得られることが数多くの試験サンプルの使用により発見された。
【００３０】
勿論、このようなまつげ２０の形態は、本発明の一つの例に過ぎず、必ずしもこれに限られるわけではない。
【００３１】
前記のように構成される本発明のまつげ２０は、使用者本人または他人の力により使用者のまぶた部位に一つずつ付着される。このために、使用者（または他人）は、まず、図４に示したように、ピンセット２４のような道具を使用して前記まつげ２０を取り、別途に提供された接着剤２６を前記まつげ２０の付着部２０bに塗布して、この付着部２０bに接着剤２６がある程度塗布されるようにする。
【００３２】
次に、使用者は、前記まつげ２０を自分が望む形態にまぶた２２部位に一つずつ付着する（図５参照）。この時、前記付着部２０bは、複数の毛２０aが集まって形成され、さらに、結び目のような障害部位によって屈曲して形成されず、平坦な形態に形成されることによりその面積を十分に確保しているので、使用者は、前記付着部２０aに接着剤を十分な量塗布することができ、また、前記付着部２０aは、まぶた２２部位に付着された後にこれから容易に落ちずに固定された状態で付着している。
【００３３】
このような過程で、前記まつげ２０は、図２に示したように、前記まぶた２２部位に全体的に付着することができる。
【００３４】
次に、本発明の変形例について説明する。
【００３５】
まず、図６A〜図８Bに示したように、本発明のまつげ３０は、その複数の筋を実質的に平行な方向に並んで配置して形成することができる。
【００３６】
この時、前記まつげ３０は、図６A及び図６Bに示されているように、複数の筋の毛の長さが互いに異なり、最も長い毛の筋が中心に配置された状態で、この筋を中心に左右対称な形態に形成することができる。
【００３７】
また、前記まつげ３０は、図７に示されているように、複数の筋の毛の長さが互いに異なり、最も短い毛の筋が中心に配置された状態で、この筋を中心に左右対称な形態に形成することができる。
【００３８】
さらに、前記まつげ３０は、図８A及び図８Bに示されているように、複数の筋の毛の長さが互いに異なり、この筋が繰り返されるパターンを有して配置されて形成される。
これだけなく、図９A、図９B及び図９Cに示されているように、本発明のまつげ４０は、他の形態として、複数の筋が互いに交差部位を形成しながら付着部４０aに対して任意の角度に傾いて配置されて形成されることができる。
【００３９】
同時に、図１０A及び図１０Bに示されているように、本発明のまつげ５０は、複数の筋が実質的に平行な方向に並んで配置される筋と、互いに交差部位を形成しながら前記付着部に対して任意の角度に傾いて配置される筋とに分けられ、これらが混用されて形成された変形例を有することもできる。
【００４０】
このように、本発明のまつげは、多様な形態で実施することができ、このような変形例において、その付着部の幅は、２〜１０ｍｍに維持されて形成されることができる。
【００４１】
図１１A乃至図１１Fは、本発明によるまつげの製造段階を示す図面であって、この製造段階は、図３に示したつなぎ用糸を使用してまつげを形成する場合である。
【００４２】
まず、図１１Aに示したように、一つのつなぎ用糸６０が提供され、ここに１次的に接着剤６２が提供されれば、まつげを形成するための毛が前記で説明したようなパターンの一つから選択されて前記つなぎ用糸６０に固定されてまつげ６４を構成する。この時、前記毛は、接着剤６２が提供された前記つなぎ用糸６０に付着されながら前記で説明したような付着部６４aを形成することができる。
【００４３】
前記付着部６４aは、前記と異なって、接着剤が提供されないつなぎ用糸に毛が所定のパターンを維持して先に配置された後、前記付着部に相当する部位に接着剤が塗布される順に形成することもできる。
【００４４】
前記過程を通じて、前記つなぎ用糸６０には、図１１Ｂに示したように、複数のまつげ６４が付着される。その後、図１１Ｃに示したように、前記付着部６４aにつなぎ用糸６０´がさらに提供される。勿論、この追加のつなぎ用糸６０´も接着剤６２´によって前記つなぎ用糸６０及びまつげ６４と一体をなす。
【００４５】
このように形成されるアセンブリー６６は、図１１Ｄに示したように、パーマ紙（a paper for permanent wave）６８に置かれ、その上にロット７０が置かれた状態で、前記パーマ紙６８と共に巻かれる。
【００４６】
このような段階は、前記毛にウェーブを与えて、これを実質的にまつげのように湾曲した状態に形成するためである。
【００４７】
その後、前記アセンブリー６６は、オーブン内で熱処理工程を経て（図１１Ｅ参照）、カッティング段階（図１１F参照）を経て、一つのまつげ６４が完成する。
【００４８】
勿論、本発明によってまつげを製造する段階は、前記方法に限定されず、アセンブリーではないバラ方式に形成することもできる。また、一定の形状の枠組（mold）に毛を提供し、ここに接着剤を塗布してまつげを製造することもできる。
【００４９】
以上で、本発明の好ましい実施例を説明したが、、本発明はこれに限定されず、特許請求の範囲、発明の詳細な説明、及び添付した図面の範囲内で多様に変形して実施することが可能であり、これも本発明の範囲に属するのは当然である。
【図面の簡単な説明】
【００５０】
【図１】本発明の実施例によるまつげを示した斜視図である。
【図２】本発明の実施例によるまつげが使用者のまぶた部位に付着された状態を示した図面である。
【図３】本発明の他の実施例によるまつげを示した斜視図である。
【図４】本発明の実施例によるまつげを使用者のまぶた部位に付着させる過程を説明するために示した図面である。
【図５】本発明の実施例によるまつげを使用者のまぶた部位に付着させる過程を説明するために示した図面である。
【図６Ａ】本発明の変形例によるまつげを示した図面である。
【図６Ｂ】本発明の変形例によるまつげを示した図面である。
【図７】本発明の変形例によるまつげを示した図面である。
【図８Ａ】本発明の変形例によるまつげを示した図面である。
【図８Ｂ】本発明の変形例によるまつげを示した図面である。
【図９Ａ】本発明の変形例によるまつげを示した図面である。
【図９Ｂ】本発明の変形例によるまつげを示した図面である。
【図９Ｃ】本発明の変形例によるまつげを示した図面である。
【図１０Ａ】本発明の変形例によるまつげを示した図面である。
【図１０Ｂ】本発明の変形例によるまつげを示した図面である。
【図１１Ａ】本発明によるまつげの製造方法の一例を説明するために示した図面である。
【図１１Ｂ】本発明によるまつげの製造方法の一例を説明するために示した図面である。
【図１１Ｃ】本発明によるまつげの製造方法の一例を説明するために示した図面である。
【図１１Ｄ】本発明によるまつげの製造方法の一例を説明するために示した図面である。
【図１１Ｅ】本発明によるまつげの製造方法の一例を説明するために示した図面である。
【図１１Ｆ】本発明によるまつげの製造方法の一例を説明するために示した図面である。
【図１２】一般的なまつげを示した図面である。
【符号の説明】
【００５１】
２０、３０、４０、５０、６４  まつげ
２０a、２２a  毛
２０b、４０a  付着部
２０c、２０d、２０e  筋
２０f、６０’  つなぎ用糸
２２  まぶた
２６、６２、６２’  接着剤
６６  アセンブリ
【図１】
2005146500.tif 000003
【図２】
2005146500.tif 000004
【図３】
2005146500.tif 000005
【図４】
2005146500.tif 000006
【図５】
2005146500.tif 000007
【図６Ａ】
2005146500.tif 000008
【図６Ｂ】
2005146500.tif 000009
【図７】
2005146500.tif 000010
【図８Ａ】
2005146500.tif 000011
【図８Ｂ】
2005146500.tif 000012
【図９Ａ】
2005146500.tif 000013
【図９Ｂ】
2005146500.tif 000014
【図９Ｃ】
2005146500.tif 000015
【図１０Ａ】
2005146500.tif 000016
【図１０Ｂ】
2005146500.tif 000017
【図１１Ａ】
2005146500.tif 000018
【図１１Ｂ】
2005146500.tif 000019
【図１１Ｃ】
2005146500.tif 000020
【図１１Ｄ】
2005146500.tif 000021
【図１１Ｅ】
2005146500.tif 000022
【図１１Ｆ】
2005146500.tif 000023
【図１２】
2005146500.tif 000024